(57)【要約】【課題】施工が容易であり、且つ耐久性の問題を回避できる柱脚の施工方法、および既存柱脚の補強方法等を提供する。【解決手段】既存柱脚を補強する際に、既存柱脚の近傍において、基礎２に埋設されるアンカーボルト３１に中間着脱式ナット３５を取り付ける。そして、中間着脱式ナット３５上に、補強柱２３が接合されたベースプレート２５を配置する。その後、ナット３３によってベースプレート２５をアンカーボルト３１に固定し、補強柱２３を既存柱３に接合する。これにより補強柱２３の位置固定が行われるので、中間着脱式ナット３５を取り外して、基礎２とベースプレート２５の間にモルタルを充填する。【選択図】図７
2018154982.tif 000002
【特許請求の範囲】
【請求項１】
柱脚の施工方法であって、
基礎に埋設されるアンカーボルトに、中間着脱式ナットを取り付け、
前記中間着脱式ナット上に、柱が接合されたベースプレートを配置し、
ナットによって、前記アンカーボルトに前記ベースプレートを固定し、
前記柱の位置固定を行い、
前記中間着脱式ナットを取り外して、前記基礎と前記ベースプレートの間にモルタルを充填することを特徴とする柱脚の施工方法。
【請求項２】
前記中間着脱式ナットは、Ｕ字状のナット部材を有し、前記アンカーボルトの側方から着脱可能であることを特徴とする請求項１記載の柱脚の施工方法。
【請求項３】
既存柱脚の補強方法であって、
既存柱脚の近傍において、基礎に埋設されるアンカーボルトに、中間着脱式ナットを取り付け、
前記中間着脱式ナット上に、補強柱が接合されたベースプレートを配置し、
ナットによって、前記アンカーボルトに前記ベースプレートを固定し、
前記補強柱を前記既存柱脚の柱に接合し、
前記中間着脱式ナットを取り外して、前記基礎と前記ベースプレートの間にモルタルを充填することを特徴とする既存柱脚の補強方法。
【請求項４】
前記中間着脱式ナットは、Ｕ字状のナット部材を有し、前記アンカーボルトの側方から着脱可能であることを特徴とする請求項３記載の既存柱脚の補強方法。
【請求項５】
前記ベースプレートは、前記既存柱脚から遠い側で前記アンカーボルトと固定され、前記ベースプレートの前記既存柱脚に近い側は、前記既存柱脚のベースプレートの上方にラップするように配置されることを特徴とする請求項３または請求項４記載の既存柱脚の補強方法。
【請求項６】
下端部にベースプレートを有する既存柱脚の補強方法であって、
既存柱脚の近傍において、基礎に埋設されるアンカーボルトに、中間着脱式ナットを取り付け、
前記中間着脱式ナット上に、前記ベースプレートを拡幅するための拡幅用ベースプレートを配置し、
ナットによって、前記アンカーボルトに前記拡幅用ベースプレートを固定し、
前記拡幅用ベースプレートを前記既存柱脚に接合し、
前記中間着脱式ナットを取り外して、前記基礎と前記拡幅用ベースプレートの間にモルタルを充填することを特徴とする既存柱脚の補強方法。
【請求項７】
前記中間着脱式ナットは、Ｕ字状のナット部材を有し、前記アンカーボルトの側方から着脱可能であることを特徴とする請求項６記載の既存柱脚の補強方法。
【発明の詳細な説明】
【技術分野】
【０００１】
本発明は、柱脚の施工方法および既存柱脚の補強方法に関するものである。
【背景技術】
【０００２】
鉄骨柱等の露出型柱脚構造としては、通常、柱体の下部にベースプレートが接合され、ベースプレートが基礎等のコンクリートに対してアンカーボルトで固定される（例えば特許文献１）。
【０００３】
柱体の建方時のベースプレートの支持は、ベースプレートの中心に対応する位置で基礎上にモルタル（中心塗りモルタル）を設置し、モルタル上にベースプレートを載せる方法が一般的である。一方、ベースプレートの貫通孔にアンカーボルトを挿通し、ベースプレートの上下でアンカーボルトに取り付けたナットにより上下からベースプレートを挟み込むことで、ベースプレートの支持を行うことも可能である。
【先行技術文献】
【特許文献】
【０００４】
【特許文献１】特開２０１６−１０８８１０号公報
【発明の概要】
【発明が解決しようとする課題】
【０００５】
しかしながら、前者のようにベースプレート支持用のモルタルを設置する場合、モルタルに関わる施工や監理に手間を要し、モルタルの強度発現までの養生期間も必要となる。
【０００６】
一方、後者のようにナットによる支持を行う場合、モルタルは必ずしも必要ではないため、施工は容易となるが、建方後にベースプレートの下側のナットを取り外すことができず、当該ナットによりアンカーボルトの耐久性に問題が生じることがある。
【０００７】
例えば、アンカーボルトに鉄筋を用い、鉄筋と基礎等との間で付着を図る柱脚構造の場合、ベースプレートの上下にナットがあると、地震時等で柱体に正逆の鉛直面内モーメントが加わってベースプレートが基準位置から上下に往復変形する際に、アンカーボルトには引張と圧縮の繰り返しの変形が付与される。これは、ベースプレートの上下のナットによって、アンカーボルトがベースプレートに固定されると、ベースプレートの往復変形がすべてアンカーボルトにも付与されるためである。このように、ナットで固定されたベースプレートからアンカーボルトに圧縮力と引張力が繰り返し作用することで鉄筋の付着力が減少し抜けやすくなる恐れがある。
【０００８】
本発明は、このような問題に鑑みてなされたもので、施工が容易であり、且つ耐久性の問題を回避できる柱脚の施工方法、および既存柱脚の補強方法等を提供することを目的とする。
【課題を解決するための手段】
【０００９】
前述した課題を解決するため、第１の発明は、柱脚の施工方法であって、基礎に埋設されるアンカーボルトに、中間着脱式ナットを取り付け、前記中間着脱式ナット上に、柱が接合されたベースプレートを配置し、ナットによって、前記アンカーボルトに前記ベースプレートを固定し、前記柱の位置固定を行い、前記中間着脱式ナットを取り外して、前記基礎と前記ベースプレートの間にモルタルを充填することを特徴とする柱脚の施工方法である。
【００１０】
前記中間着脱式ナットは、Ｕ字状のナット部材を有し、前記アンカーボルトの側方から着脱可能であることも望ましい。
【００１１】
第１の発明によれば、柱の建方時に上記のナットおよび中間着脱式ナットによってベースプレートの支持を行うことができ、前記したベースプレート支持用のモルタルを省略することができる。そのため、モルタルに関わる施工や監理の手間が軽減され、モルタルの養生期間が不要となることで工期短縮効果も得られる。
【００１２】
また、中間着脱式ナットは、柱の位置固定後に取り外すことができるので、前記のような耐久性の問題も生じない。例えば、ナットがベースプレートの上側だけで固定されるため、地震の際に、ベースプレートが上方に移動して、その際に上側のナットによってアンカーボルトにも引張力が加わった以降は、ベースプレートがその貫通孔に通したアンカーボルトに対して上下するだけになるのでアンカーボルトに圧縮力と引張力が繰り返し作用することはない。
【００１３】
また、中間着脱式ナットとしては、例えばＵ字状のナット部材を有し、アンカーボルトの側方から着脱可能なものを用いることができ、中間着脱式ナットの取り付け、取り外しが容易になる。
【００１４】
第２の発明は、既存柱脚の補強方法であって、既存柱脚の近傍において、基礎に埋設されるアンカーボルトに、中間着脱式ナットを取り付け、前記中間着脱式ナット上に、補強柱が接合されたベースプレートを配置し、ナットによって、前記アンカーボルトに前記ベースプレートを固定し、前記補強柱を前記既存柱脚の柱に接合し、前記中間着脱式ナットを取り外して、前記基礎と前記ベースプレートの間にモルタルを充填することを特徴とする既存柱脚の補強方法である。
【００１５】
前記中間着脱式ナットは、Ｕ字状のナット部材を有し、前記アンカーボルトの側方から着脱可能であることも望ましい。
【００１６】
前記ベースプレートは、前記既存柱脚から遠い側で前記アンカーボルトと固定され、前記ベースプレートの前記既存柱脚に近い側は、前記既存柱脚のベースプレートの上方にラップするように配置されることも望ましい。
【００１７】
第２の発明によれば、補強柱によって既存柱脚を補強する際、補強柱の建方時に上記のナットおよび中間着脱式ナットによって補強柱のベースプレートの支持を行い、補強柱を既存柱脚の柱に接合して位置固定を行った後に中間着脱式ナットを取り外すことで、第１の発明と同様の効果が得られる。
【００１８】
例えば既存柱脚の耐震補強では、工場等の既存建物を使用しながら施工を行うことが多く、前記したベースプレート支持用のモルタルの養生期間が無くなることによる工期短縮効果は非常に大きい。
【００１９】
また補強柱のベースプレートの下方に既存柱脚のベースプレートが張り出しているケースでは補強柱のベースプレート支持用のモルタルを設置するスペースが無い場合があり、第２の発明ではこのようなケースでもナットと中間着脱式ナットによる補強柱のベースプレートの支持を行うことで施工が容易になるという利点がある。
【００２０】
この第２の発明においても、中間着脱式ナットとして、Ｕ字状のナット部材を有し、アンカーボルトの側方から着脱可能なものを用いることで、中間着脱式ナットの取り付け、取り外しが容易になる。
【００２１】
第３の発明は、下端部にベースプレートを有する既存柱脚の補強方法であって、既存柱脚の近傍において、基礎に埋設されるアンカーボルトに、中間着脱式ナットを取り付け、前記中間着脱式ナット上に、前記ベースプレートを拡幅するための拡幅用ベースプレートを配置し、ナットによって、前記アンカーボルトに前記拡幅用ベースプレートを固定し、前記拡幅用ベースプレートを前記既存柱脚に接合し、前記中間着脱式ナットを取り外して、前記基礎と前記拡幅用ベースプレートの間にモルタルを充填することを特徴とする既存柱脚の補強方法である。
【００２２】
前記中間着脱式ナットは、Ｕ字状のナット部材を有し、前記アンカーボルトの側方から着脱可能であることも望ましい。
【００２３】
第３の発明によれば、既存柱脚のベースプレートを拡幅するための拡幅用ベースプレートを用いて既存柱脚を補強する際、上記のナットおよび中間着脱式ナットによって拡幅用ベースプレートの支持を行い、拡幅用ベースプレートを既存柱脚のベースプレートに接合して位置固定を行った後に中間着脱式ナットを取り外すことで、第１の発明と同様の効果が得られる。
【００２４】
この第３の発明においても、中間着脱式ナットとして、Ｕ字状のナット部材を有し、アンカーボルトの側方から着脱可能なものを用いることで、中間着脱式ナットの取り付け、取り外しが容易になる。
【発明の効果】
【００２５】
本発明によれば、施工が容易であり、且つ耐久性の問題を回避できる柱脚の施工方法、および既存柱脚の補強方法等を提供することができる。
【図面の簡単な説明】
【００２６】
【図１】補強構造１を示す図。
【図２】補強構造１を示す図。
【図３】既存柱脚の補強方法について説明する図。
【図４】中間着脱式ナット３５を示す図。
【図５】中間着脱式ナット３５の取り付け方法を示す図。
【図６】既存柱脚の補強方法について説明する図。
【図７】既存柱脚の補強方法について説明する図。
【図８】既存柱脚の補強方法について説明する図。
【図９】柱脚構造４１を示す図。
【図１０】柱脚構造４１を示す図。
【図１１】柱脚構造４１の施工方法について説明する図。
【図１２】柱脚構造４１の施工方法について説明する図。
【図１３】柱脚構造４１の施工方法について説明する図。
【図１４】柱脚構造４１の施工方法について説明する図。
【図１５】補強構造７１を示す図。
【図１６】補強構造７１を示す図。
【図１７】既存柱脚の補強方法について説明する図。
【図１８】既存柱脚の補強方法について説明する図。
【図１９】既存柱脚の補強方法について説明する図。
【図２０】既存柱脚の補強方法について説明する図。
【図２１】中間着脱式ナット６５を示す図。
【発明を実施するための形態】
【００２７】
以下、本発明の第１の実施の形態について説明する。図１、図２は、本発明の第１の実施の形態に係る既存柱脚の補強方法により構築した補強構造１を示す図である。なお、図１は図２の線Ａ−Ａに沿った鉛直方向断面であり、図２は図１の線Ｂ−Ｂに沿った水平方向断面である。補強構造１は、既存柱３やベースプレート５等からなる既存柱脚が補強柱２３によって補強された補強構造である。
【００２８】
補強構造１は、既存柱３に補強柱２３を接合することによって既存柱脚の耐震補強を行ったものである。既存柱３および補強柱２３は基礎２上に設けられる。
【００２９】
基礎２には段差があり、既存柱３は基礎２の上段に設けられる。既存柱３は鋼材等によって形成された鉄骨柱である。既存柱３は例えば複数のトラスによって構成される組立柱であるが、その他の角柱やＨ鋼柱であってもよい。本実施の形態において既存柱３はおよそ長方形状の平面を有する。
【００３０】
既存柱３の下端部には、ベースプレート５が溶接等によって接合される。ベースプレート５は略長方形状の板材であり、その平面の四隅近傍に貫通孔７が設けられる。既存柱３は、その長辺方向と短辺方向をベースプレート５の長辺方向と短辺方向にそれぞれ一致させ、ベースプレート５の略中央に接合される。
【００３１】
基礎２の上段とベースプレート５の間にはモルタル９が設けられる。基礎２の上段には複数のアンカーボルト１１が埋設される。アンカーボルト１１には例えばネジ付鉄筋等が用いられ、鉄筋と基礎２等との間で付着を図る構成となっている。各アンカーボルト１１はモルタル９を通ってベースプレート５の各貫通孔７に挿通され、貫通孔７から突出したアンカーボルト１１の上端部にベースプレート５の上からナット１３が締め込まれる。なお、モルタル９を省略し、基礎２に直接ベースプレート５を設けることも可能である。
【００３２】
こうして既存柱３およびベースプレート５が基礎２に設置される。なお、既存柱３やベースプレート５の形状、またアンカーボルト１１の配置および本数等は上記の例に限らない。
【００３３】
既存柱３の外側には補強柱２３が配置される。補強柱２３は鋼材等によって形成された鉄骨柱である。補強柱２３は例えば鋼材を角型に組み合わせた組立柱であるが、その他の角柱やＨ鋼柱であってもよい。補強柱２３は、既存柱３の平面の一方の短辺（図２の左側の短辺）の外側に配置される。補強柱２３の高さは例えば１〜２ｍ程度とするが、これに限ることは無い。
【００３４】
補強柱２３の下端部にはベースプレート２５が溶接等によって接合される。ベースプレート２５は略長方形状の板材である。ベースプレート２５は、その長辺方向をベースプレート５の短辺方向に一致させ、ベースプレート２５の既存柱３に近い側の端部（図１、図２の右側の端部）がベースプレート５の補強柱２３に近い側の端部（図１、図２の左側の端部）の上方にラップするように配置される。
【００３５】
補強柱２３は、ベースプレート２５の既存柱３に近い側の端部に接合される。補強柱２３は予めベースプレート２５に接合しておいてもよく、現場でベースプレート２５上に補強柱２３を接合してもよい。補強柱２３を予めベースプレート２５に接合しておくことで、現場での溶接作業が削減され、より精度よく接合を行うことが可能である。
【００３６】
一方、ベースプレート２５の既存柱３から遠い側の端部（図１、図２の左側の端部）では、ベースプレート２５の長辺方向の両端近傍に貫通孔２７が設けられる。
【００３７】
ベースプレート２５の下にはモルタル２１が設けられる。モルタル２１は上記したベースプレート５の補強柱２３に近い側の端部も覆っている。図１、２では、説明のためベースプレート２５の下方のモルタル２１に埋設される部分も点線で図示している。
【００３８】
既存柱３の近傍では、基礎２の下段にアンカーボルト３１が埋設される。本実施の形態ではアンカーボルト３１が後施工アンカーであり、その下部が基礎２の下段に形成された穴３０に挿入され、その周囲にモルタル等の固化材３２が充填される。アンカーボルト３１には例えばネジ付鉄筋等が用いられ、鉄筋と固化材３２等との間で付着を図る構成となっている。
【００３９】
アンカーボルト３１はモルタル２１を通り、ベースプレート２５の貫通孔２７に挿通される。貫通孔２７から突出したアンカーボルト３１の上端部にベースプレート２５の上からナット３３が締め込まれる。
【００４０】
こうして補強柱２３およびベースプレート２５が基礎２に設置される。なお、補強柱２３の形状、配置や数等は特に限定されない。例えば既存柱３の平面の両短辺の外側に補強柱２３を設けることも可能である。同様に、ベースプレート２５の形状、配置や数、アンカーボルト３１の配置および本数等も上記の例に限らない。また貫通孔２７の代わりに切欠きを設けてもよい。
【００４１】
補強柱２３は既存柱３に接合される。本実施の形態では、添接板２９が補強柱２３および既存柱３に溶接され、これにより既存柱３に補強柱２３が接合される。添接板２９の形状、位置等は特に限定されない。また添接板２９は１か所に限ることはなく、複数個所に設けてもよい。
【００４２】
次に、補強柱２３の施工方法（既存柱脚の補強方法）について説明する。本実施の形態では、まず、図３に示すように、既存柱３の近傍において、基礎２の下段に穴３０を形成して穴３０に固化材３２を設け、その中にアンカーボルト３１の下部を挿入する。そして、基礎２の上に突出したアンカーボルト３１の上部に中間着脱式ナット３５（中間挿入式ナットとも呼ばれる）を取り付ける。
【００４３】
図４は中間着脱式ナット３５を示す図である。図４（ａ）は中間着脱式ナット３５の平面を示す図であり、図４（ｂ）は凹部３５ｂの方向から中間着脱式ナット３５を見た図である。
【００４４】
中間着脱式ナット３５は、上下２つのナット部材３５ａ、３５ａを、その平面中心周りに相対回転可能に連結したものである。各ナット部材３５ａ、３５ａはＵ字状の形状を有し、その凹部３５ｂの先端の半円部分がナット部材３５ａの平面の中心部にあり、当該半円部分に雌ネジ３５ｃが形成される。
【００４５】
中間着脱式ナット３５は、上下２つのナット部材３５ａ、３５ａの凹部３５ｂの位置を合わせ、アンカーボルト３１を側方から凹部３５ｂに挿入して図５（ａ）に示すように配置する。その後、図５（ｂ）に示すように、一方のナット部材３５ａを所定角度（例えば１８０°）回転し固定する。
【００４６】
本実施の形態では、上記のようにアンカーボルト３１に中間着脱式ナット３５を取り付けた後、図６に示すように、アンカーボルト３１の上端部をベースプレート２５の貫通孔２７に挿通してベースプレート２５を中間着脱式ナット３５の上に配置し、ベースプレート２５の上からアンカーボルト３１の上端部にナット３３を締め込み、ナット３３によってベースプレート２５をアンカーボルト３１に固定する。
【００４７】
前記したように、ベースプレート２５の既存柱３に近い側の端部には補強柱２３が接合されており、補強柱２３の建方時にナット３３および中間着脱式ナット３５によってベースプレート２５が支持される。ベースプレート２５の既存柱３に近い側の端部はベースプレート５の補強柱２３に近い側の端部の上方にラップするように配置され、ベースプレート２５は、既存柱３から遠い側の端部において、ナット３３によりアンカーボルト３１に固定されることになる。
【００４８】
その後、図７に示すように補強柱２３および既存柱３に添接板２９を溶接し、補強柱２３を既存柱３に接合する。これにより補強柱２３の位置固定が行われるので、図８に示すように中間着脱式ナット３５を取り外す。中間着脱式ナット３５の取り外しは、両ナット部材３５ａの凹部３５ｂの位置を合わせた後、アンカーボルト３１の側方から中間着脱式ナット３５を抜き取ることによって行うことができる。
【００４９】
その後、基礎２とベースプレート２５の間に図１に示したようにモルタル２１を充填する。モルタル２１が固化すると、前記した既存柱脚の補強構造１が形成される。
【００５０】
以上、本実施の形態によれば、補強柱２３によって既存柱脚を補強する際、補強柱２３の建方時にナット３３および中間着脱式ナット３５によって補強柱２３のベースプレート２５の支持を行うことができ、前記したベースプレート支持用のモルタルを省略できる。そのため、モルタルに関わる施工や監理の手間が軽減され、モルタルの養生期間が不要となることで工期短縮効果も得られる。例えば既存柱脚の耐震補強では、工場等の既存建物を使用しながら施工を行うことが多く、モルタルの養生期間が無くなることによる工期短縮効果は非常に大きい。
【００５１】
また補強柱２３による耐震補強を行う場合では、モルタルを施工するレベルに高低差がある、基礎レベルが低いためモルタルの高さが大きくなる等の理由により、補強柱２３のベースプレート支持用のモルタルの施工が煩雑になるケースがあるが、ナット３３および中間着脱式ナット３５によって補強柱２３の支持を行う場合、そのような問題も無い。
【００５２】
特に本実施の形態のように補強柱２３のベースプレート２５の下方に既存柱脚のベースプレート５が張り出しているケースでは、補強柱２３のベースプレート支持用のモルタルを設置するスペースが無い場合があり、本実施の形態ではこのようなケースでもナット３３と中間着脱式ナット３５によるベースプレート２５の支持を行うことで施工が容易になるという利点がある。
【００５３】
また本実施の形態では中間着脱式ナット３５を補強柱２３の位置固定後に取り外すことができるので、前記したような耐久性の問題も生じない。中間着脱式ナット３５としては、Ｕ字状のナット部材３５ａ、３５ａを有し、アンカーボルト３１の側方から着脱可能なものを用いることで、その取り付け、取り外しが容易になる。
【００５４】
次に、第２の実施の形態について説明する。第２の実施の形態は、第１の実施の形態と同様の方法で新設の柱脚を施工するものである。
【００５５】
図９は、第２の実施の形態に係る柱脚の施工方法によって構築した柱脚構造４１（柱脚）を示す図であり、図１０は図９の線Ｃ−Ｃに沿った水平方向断面である。柱脚構造４１は柱４３やベースプレート４５等を有する。柱４３は基礎４２上に設けられ、上端部が梁６１に接合される。柱４３は鋼材等によって形成された鉄骨柱である。柱４３は例えば角柱であるが、前記と同様、複数のトラスによって構成される組立柱であってもよいし、Ｈ鋼柱であってもよい。
【００５６】
柱４３の下端部には、ベースプレート４５が溶接等によって接合される。ベースプレート４５は略矩形状の板材であり、貫通孔４７が設けられる。貫通孔４７は前記のベースプレート２５と同様、ベースプレート４５の平面の四隅近傍に設けられ、また柱４３はベースプレート４５の略中央に接合されるものとする。
【００５７】
基礎４２とベースプレート４５の間にはモルタル４９が設けられる。基礎４２には複数のアンカーボルト５１が埋設される。アンカーボルト５１には例えばネジ付鉄筋等が用いられ、鉄筋と基礎４２等との間で付着を図る構成となっている。各アンカーボルト５１はモルタル４９を通ってベースプレート４５の各貫通孔４７に挿通され、貫通孔４７から突出したアンカーボルト５１の上端部にベースプレート４５の上からナット５３が締め込まれる。なお、モルタル４９を省略し、基礎４２に直接ベースプレート４５を設けることも可能である。
【００５８】
こうして柱４３およびベースプレート４５が基礎４２に設置される。なお、柱４３やベースプレート４５の形状、またアンカーボルト５１の配置および本数等は上記の例に限らない。
【００５９】
次に、柱脚構造４１の施工方法について説明する。本実施の形態では、まず、図１１に示すように、基礎４２の上に突出したアンカーボルト５１の上部に、前記と同様、中間着脱式ナット３５を取り付ける。
【００６０】
次に、図１２に示すように、アンカーボルト５１の上端部をベースプレート４５の貫通孔４７に挿通してベースプレート４５を中間着脱式ナット３５の上に配置し、ベースプレート４５の上からアンカーボルト５１の上端部にナット５３を締め込み、ナット５３によってベースプレート４５をアンカーボルト５１に固定する。これにより、柱４３の建方時にナット５３および中間着脱式ナット３５によってベースプレート４５が支持される。
【００６１】
その後、図１３に示すように柱４３の上端部を梁６１に接合する。これにより柱４３の位置固定が行われるので、図１４に示すように中間着脱式ナット３５を取り外す。その後、基礎４２とベースプレート４５の間に図９に示したようにモルタル４９を充填する。モルタル４９が固化すると、前記した柱脚構造４１が形成される。
【００６２】
この第２の実施の形態でも、柱４３の建方時にナット５３および中間着脱式ナット３５によってベースプレート４５の支持を行うことで、前記したベースプレート支持用のモルタルを省略できるため、モルタルに関わる施工や監理の手間が軽減され、モルタルの養生期間が不要となることで工期短縮効果が得られる。中間着脱式ナット３５は柱４３の位置固定後に取り外すことができるので、前記したような耐久性の問題も生じない。
【００６３】
続いて、第３の実施の形態について説明する。第３の実施の形態は、既存柱脚のベースプレートを拡幅し、アンカーボルトを増設することで既存柱脚の補強を行うものである。第３の実施の形態は、第２の実施の形態の柱脚構造４１を既存柱脚とし、これを補強する例について説明する。第２の実施の形態で既に説明した構成については、同じ符号を付すなどして説明を省略する。
【００６４】
図１５は、第３の実施の形態に係る既存柱脚の補強方法による補強を行った補強構造７１を示す図であり、図１６は図１５の線Ｄ−Ｄに沿った水平方向断面である。補強構造７１は、柱４３のベースプレート４５をスティフナ７３付きのベースプレート７５（拡幅用ベースプレート）によって拡幅し、アンカーボルト８１を増設した補強構造である。
【００６５】
ベースプレート７５は、ベースプレート４５の柱４３を挟んだ両側辺に接合される。本実施の形態ではベースプレート７５が略長方形状の板材であり、その長辺がベースプレート４５の側辺に溶接部８５で溶接される。ベースプレート７５の長辺方向の両端部には貫通孔７７が設けられる。またベースプレート７５の下にはモルタル７９が設けられる。
【００６６】
柱４３の近傍では、基礎４２にアンカーボルト８１が埋設される。アンカーボルト８１は後施工アンカーであり、第１の実施の形態と同様の手順で設置される。なお、アンカーボルト８１の設置時に基礎４２に形成する穴や穴に設ける固化材の図示は省略している。アンカーボルト８１には例えばネジ付鉄筋等が用いられ、鉄筋と固化材等との間で付着を図る構成となっている。
【００６７】
アンカーボルト８１はモルタル７９を通り、ベースプレート７５の貫通孔７７に挿通される。貫通孔７７から突出したアンカーボルト８１の上端部にベースプレート７５の上からナット８３が締め込まれる。
【００６８】
ベースプレート７５の上にはスティフナ７３が設けられる。スティフナ７３は略Ｌ字状の板材であり、そのＬ字の一端が溶接等によりベースプレート７５の長辺方向の中心部に接合される。スティフナ７３はベースプレート７５の短辺方向に沿って配置され、Ｌ字の他端は柱４３の側面に接合される。この他端は、溶接部８７において柱４３の側面に溶接されるものとする。
【００６９】
こうしてスティフナ７３付きのベースプレート７５によって柱４３のベースプレート４５が拡幅される。なお、ベースプレート７５の形状、配置や数等は特に限定されない。例えばベースプレート４５の四辺のそれぞれにベースプレート７５を接合することも可能である。同様に、スティフナ７３の形状、配置や数、アンカーボルト８１の配置および本数等も上記の例に限らない。また貫通孔７７の代わりに切欠きを設けてもよい。
【００７０】
次に、本実施の形態に係る既存柱脚の補強方法について説明する。本実施の形態では、まず、図１７に示すように、柱４３の近傍において、第１の実施の形態と同様の手順でアンカーボルト８１を設置する。そして、基礎４２の上に突出したアンカーボルト８１の上部に、前記と同様、中間着脱式ナット３５を取り付ける。なお本実施の形態では、ベースプレート７５の長辺と接合されるベースプレート４５の側辺を、図中ａで示すように溶接前に予め斜めに面取りしておく。
【００７１】
次に、図１８に示すように、アンカーボルト８１の上端部をベースプレート７５の貫通孔７７に挿通してベースプレート７５を中間着脱式ナット３５の上に配置し、ベースプレート７５の上からアンカーボルト８１の上端部にナット８３を締め込み、ナット８３によってベースプレート７５をアンカーボルト８１に固定する。これにより、ナット８３および中間着脱式ナット３５によってベースプレート７５が支持される。前記したように、ベースプレート７５にはスティフナ７３が接合されている。なおベースプレート４５の側辺と接合されるベースプレート７５の長辺は、図中ｂで示すように溶接用に予め斜めに面取りされている。
【００７２】
その後、図１９に示すように、ベースプレート７５の長辺を溶接部８５でベースプレート４５の側辺に溶接し、スティフナ７３を溶接部８７によって柱４３の側面に溶接する。これによりベースプレート７５の位置固定が行われるので、図２０に示すように中間着脱式ナット３５を取り外す。その後、基礎４２とベースプレート７５の間に図１５に示したようにモルタル７９を充填する。モルタル７９が固化すると、前記した補強構造７１が形成される。
【００７３】
この第３の実施の形態でも、ベースプレート７５を用いて既存柱脚を補強する際、ナット８３および中間着脱式ナット３５によってベースプレート７５の支持を行うことで、前記したベースプレート支持用のモルタルを省略でき、モルタルに関わる施工や監理の手間が軽減され、モルタルの養生期間が不要となることで工期短縮効果が得られる。前記と同様、中間着脱式ナット３５はベースプレート７５の位置固定後に取り外すことができるので、前記したような耐久性の問題も生じない。
【００７４】
なお、本発明は以上の実施の形態に限られることはない。例えば中間着脱式ナット３５としては２つのナット部材３５ａが相対回転可能なものを用いているが、中間着脱式ナットはこれに限らない。
【００７５】
例えば図２１（ａ）の中間着脱式ナット６５は、一組のＵ字状のナット部材６５ａ、６５ａから構成されており、各ナット部材６５ａ、６５ａの半円状の凹部６５ｂに雌ネジ６５ｃが形成されている。この中間着脱式ナット６５は、アンカーボルト３１（５１、８１）の側方から図２１（ｂ）に示すようにナット部材６５ａ、６５ａでアンカーボルト３１（５１、８１）を挟み込むように配置し、その両端部同士を固定部６５ｄで固定することでアンカーボルト３１（５１、８１）に取り付けることができ、固定を解除すればアンカーボルト３１（５１、８１）の側方から取り外しできる。この他、中間着脱式ナットとしては様々な形状、機構のものが考えられる。
【００７６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７７】
１、７１………補強構造
２、４２………基礎
３………既存柱
５、２５、４５、７５………ベースプレート
７、２７、４７、７７………貫通孔
９、２１、４９、７９………モルタル
１１、３１、５１、８１………アンカーボルト
１３、３３、５３、８３………ナット
２３………補強柱
２９………添接板
３０………穴
３２………固化材
３５、６５………中間着脱式ナット
３５ａ、６５ａ………ナット部材
３５ｂ、６５ｂ………凹部
３５ｃ、６５ｃ………雌ネジ
４１………柱脚構造
４３………柱
６１………梁
６５ｄ………固定部
７３………スティフナ
８５、８７………溶接部
【図１】
2018154982.tif 000003
【図２】
2018154982.tif 000004
【図３】
2018154982.tif 000005
【図４】
2018154982.tif 000006
【図５】
2018154982.tif 000007
【図６】
2018154982.tif 000008
【図７】
2018154982.tif 000009
【図８】
2018154982.tif 000010
【図９】
2018154982.tif 000011
【図１０】
2018154982.tif 000012
【図１１】
2018154982.tif 000013
【図１２】
2018154982.tif 000014
【図１３】
2018154982.tif 000015
【図１４】
2018154982.tif 000016
【図１５】
2018154982.tif 000017
【図１６】
2018154982.tif 000018
【図１７】
2018154982.tif 000019
【図１８】
2018154982.tif 000020
【図１９】
2018154982.tif 000021
【図２０】
2018154982.tif 000022
【図２１】
2018154982.tif 000023